(57)【要約】【課題】高品位な表示を得ることができる発光装置、及び電子機器を提供する。【解決手段】発光部１２は、基板上に設けられた機能層と、前記機能層を挟持するように設けられた陽極及び陰極とを有する。機能層、陽極、陰極からなる発光素子２１〜２４は、互いに絶縁されると共に、平面的に同心を基準として対称に配置された複数の発光素子２１〜２４によって構成されている。【選択図】図２
2012089355.tif 000002
【特許請求の範囲】
【請求項１】
基板上に設けられた発光層と、
前記発光層を挟持するように設けられた第１電極及び第２電極と、
を備え、
前記第１電極又は前記第２電極は、互いに絶縁されると共に、平面的に同心を基準として対称に配置された複数の電極によって構成されていることを特徴とする発光装置。
【請求項２】
請求項１に記載の発光装置であって、
前記複数の電極は、同心の位置に配置された中心電極と、前記中心電極の周囲に配置された複数の周辺電極と、を含むことを特徴とする発光装置。
【請求項３】
請求項１又は請求項２に記載の発光装置であって、
前記第１電極又は前記第２電極の外形は、丸形状、楕円形状、多角形状のいずれかであることを特徴とする発光装置。
【請求項４】
請求項１乃至請求項３のいずれか一項に記載の発光装置であって、
前記複数の電極を介して前記発光層に流れる電流量をそれぞれ調整可能な電流制御部を備えることを特徴とする発光装置。
【請求項５】
請求項１乃至請求項４のいずれか一項に記載の発光装置を備えることを特徴とする電子機器。
【発明の詳細な説明】
【技術分野】
【０００１】
本発明は、発光装置、及び電子機器に関する。
【背景技術】
【０００２】
上記発光装置として、例えば、ラインプリンター等のプリンターヘッドの光源として用いられている有機ＥＬ（Electro Luminescence）装置がある。この有機ＥＬ装置は、細長い基板に複数の発光素子が所定の間隔をあけて配置されている。そして、発光素子において発光した光が、感光体ドラムに照射される。
【０００３】
しかし、細長い基板（例えば、プリンターヘッド）に反りが発生していたり、感光体ドラムの表面が凹凸になっていたりして、光源と感光体ドラムとの間の距離が変動している場合、感光体ドラムに照射された光の形状や大きさがばらついてしまう。これにより、例えば、印刷された線の太さが凸凹になるなど、印刷品質が低下する。
【０００４】
そこで、例えば、特許文献１に記載のように、複数の電極を選択的に発光させることにより、照射された光の大きさや光量を調整する技術が開示されている。
【先行技術文献】
【特許文献】
【０００５】
【特許文献１】特開２００８−２２９９２７号公報
【発明の概要】
【発明が解決しようとする課題】
【０００６】
しかしながら、上記特許文献１に記載の技術では、平面的に電極が並んで配置されているので、選択的に発光素子を発光させると、照射領域の位置が偏り（照射位置が横にずれる）、感光体ドラム上の照射形状（露光形状）を安定させることができないという課題があった。
【課題を解決するための手段】
【０００７】
本発明は、上記課題の少なくとも一部を解決するためになされたものであり、以下の形態又は適用例として実現することが可能である。
【０００８】
［適用例１］本適用例に係る発光装置は、基板上に設けられた発光層と、前記発光層を挟持するように設けられた第１電極及び第２電極と、を備え、前記第１電極又は前記第２電極は、互いに絶縁されると共に、平面的に同心を基準として対称に配置された複数の電極によって構成されていることを特徴とする。
【０００９】
この構成によれば、平面的に同心を基準として複数の電極が対称に配置されることによって第１電極又は第２電極が構成されているので、複数の電極に対し選択的に電流を流すことによって、発光領域の大きさを変えることができる。更に、複数の電極が対称に配置されているので、発光形状が相似形状となる。これにより、例えば、発光装置から被照射体に対し照射した複数の光の大きさのばらつきを抑えることができる。更に、発光領域の位置（例えば、重心位置）を移動させることなく、発光領域（形状）の大きさのみを変えることができる。その結果、基板が反ってしまったり、被照射体の表面が凸凹していたりする場合でも、複数の光の大きさや形状を揃えることが可能となり、表示品質を向上させることができる。
【００１０】
［適用例２］上記適用例に係る発光装置において、前記複数の電極は、同心の位置に配置された中心電極と、前記中心電極の周囲に配置された複数の周辺電極と、を含むことが好ましい。
【００１１】
この構成によれば、中心電極と周辺電極とを選択的に発光させることにより、発光する位置をずらすことなく、小さく発光させたり大きく発光させたりすることができる。
【００１２】
［適用例３］上記適用例に係る発光装置において、前記第１電極又は前記第２電極の外形は、丸形状、楕円形状、多角形状のいずれかであることが好ましい。
【００１３】
この構成によれば、上記した形状で第１電極又は第２電極を構成するので、要望される形状に応じて最適な形状に発光させることができる。
【００１４】
［適用例４］上記適用例に係る発光装置において、前記複数の電極を介して前記発光層に流れる電流量をそれぞれ調整可能な電流制御部を備えることが好ましい。
【００１５】
この構成によれば、電流制御部によって発光層に流れる電流量をそれぞれ調整できるので、各電極に対応する発光層の発光量（発光強度）を部分的に変えることができる。これにより、例えば、発光むらを抑えることが可能となり、表示品質（例えば、ディスプレイ）を向上させることができる。
【００１６】
［適用例５］本適用例に係る電子機器は、上記に記載の発光装置を備えることを特徴とする。
【００１７】
この構成によれば、上記した発光装置を備えているので、高品位な表示が得られる電子機器を提供することができる。
【図面の簡単な説明】
【００１８】
【図１】発光装置の構造を示す模式平面図。
【図２】図１に示す発光装置の発光部を拡大して示す拡大平面図。
【図３】図２のＢ−Ｂ'断面に沿う模式断面図。
【図４】発光装置が組み込まれた光書き込みヘッドモジュールを示す斜視図。
【図５】発光装置を有する光書き込みヘッドモジュールを備えた電子機器の一例として画像形成装置（プリンター）を示す模式断面図。
【図６】発光部の発光状態を示す模式平面図。
【図７】感光体ドラムに照射した光の状態を示す模式図。
【発明を実施するための形態】
【００１９】
以下、本発明を具体化した実施形態について図面に従って説明する。なお、使用する図面は、説明する部分が認識可能な状態となるように、適宜拡大または縮小して表示している。
【００２０】
＜発光装置の構成＞
図１は、発光装置の構造を示す模式平面図である。図２は、図１に示す発光装置の発光部（Ａ部）を拡大して示す拡大平面図である。図３は、図２のＢ−Ｂ'断面に沿う模式断面図である。以下、発光装置の構造を、図１〜図３を参照しながら説明する。
【００２１】
まず、図１に示すように、発光装置１１は、複数の発光部１２を有する。詳述すると、発光装置１１は、複数の発光部１２（ドット）が、例えば、Ｘ方向に千鳥状に配列されている。複数の発光部１２が集まる領域を、発光領域１３と称する。以下、発光部１２の構造について、図２を参照しながら説明する。
【００２２】
図２に示すように、発光部１２は、有機ＥＬ素子からなる複数の発光素子２１〜２４によって外形が略丸形状になるように構成されている。具体的には、発光部１２の中心に略丸形状の第１発光素子２１が配置されている。そして、第１発光素子２１の略全周を囲むように第２発光素子２２がリング状に配置されている。更に、第２発光素子２２の略半周分を囲むように第３発光素子２３が扇形状に配置されている。同様に、第２発光素子２２の残りの略半周分を囲むように第４発光素子２４が扇形状に配置されている。
【００２３】
このように、発光部１２の中心に配置される第１発光素子２１から外周方向に向かって第２発光素子２２から第４発光素子２４が配置されていることにより、略丸形状の発光部１２を得ることができる。なお、各発光素子２１〜２４には、後述するＴＦＴ素子３６（図３参照）と電気的に接続される引き出し配線２５ａ〜２５ｄが設けられている。なお、引き出し配線２５ａ〜２５ｄの形状や引き出し方向を基に、各発光素子２１〜２４の詳細形状を決めるようにしてもよい。
【００２４】
発光部１２の大きさを小さくしたい場合、例えば、第１発光素子２１のみを発光させる。言い換えれば、第１発光素子２１のみに電流を流す。一方、発光部１２の大きさを大きくしたい場合、例えば、第１発光素子２１〜第４発光素子２４の全ての発光素子を発光させる。第２発光素子２２〜第４発光素子２４が、第１発光素子２１の同心円上に配置されているので（対称形状となっているので）、上記したように発光部１２の大きさを変えた場合でも、発光部１２の位置（重心位置）や形状が変わることを抑えることができる。
【００２５】
以下、発光装置１１の構造を、図３に示す構造断面図を参照しながら説明する。なお、図３は、各構成要素の断面的な位置関係を示すものであり、相対関係は度外視されている。
【００２６】
図３に示すように、発光装置１１を構成する発光部１２は、発光領域３１において発光が行われるものであり、基板３２と、基板３２上に形成された回路素子層３３と、回路素子層３３上に形成された発光素子層３４とを有する。基板３２は、例えば、シリコン基板である。
【００２７】
回路素子層３３には、基板３２上にシリコン酸化膜（ＳｉＯ2）からなる下地保護膜３５が形成され、下地保護膜３５上にＴＦＴ（Thin Film Transistor）素子３６が形成されている。詳しくは、下地保護膜３５上に、ポリシリコン膜からなる島状の半導体膜４１が形成されている。半導体膜４１には、ソース領域４２及びドレイン領域４３が不純物の導入によって形成されている。そして、不純物が導入されなかった部分がチャネル領域４４となっている。
【００２８】
更に、回路素子層３３には、下地保護膜３５及び半導体膜４１を覆うシリコン酸化膜等からなる透明なゲート絶縁膜４５が形成されている。ゲート絶縁膜４５上には、アルミニウム（Ａｌ）、モリブデン（Ｍｏ）、タンタル（Ｔａ）、チタン（Ｔｉ）、タングステン（Ｗ）などからなるゲート電極４６（走査線）が形成されている。
【００２９】
ゲート絶縁膜４５及びゲート電極４６上には、透明な第１層間絶縁膜５１及び第２層間絶縁膜５２が形成されている。第１層間絶縁膜５１及び第２層間絶縁膜５２は、例えば、シリコン酸化膜（ＳｉＯ2）、チタン酸化膜（ＴｉＯ2）などから構成されている。ゲート電極４６は、半導体膜４１のチャネル領域４４に対応する位置に設けられている。
【００３０】
半導体膜４１のソース領域４２は、第１層間絶縁膜５１及びゲート絶縁膜４５を貫通して設けられたコンタクトホール５３を介して、第１層間絶縁膜５１上に形成された信号線５４と電気的に接続されている。一方、ドレイン領域４３は、第２層間絶縁膜５２、第１層間絶縁膜５１、ゲート絶縁膜４５を貫通して設けられたコンタクトホール５５を介して、第２層間絶縁膜５２上に形成された第１電極としての陽極６１（画素電極）と電気的に接続されている。
【００３１】
発光素子層３４は、発光素子２１〜２４を具備して基板３２上に形成されている。詳述すると、発光素子層３４は、陽極６１と、陽極６１上に形成された機能層６２と、機能層６２を区画する隔壁６３と、機能層６２及び隔壁６３上に形成された第２電極としての陰極６４（共通電極）とを主体として構成されている。
【００３２】
なお、図２に示す第１発光素子２１を構成する陽極６１は、中心電極としての第１陽極６１ａである。また、第２発光素子２２を構成する陽極６１は、周辺電極としての第２陽極６１ｂである。第３発光素子２３を構成する陽極６１は、周辺電極としての第３陽極６１ｃである。第４発光素子２４を構成する陽極６１は、周辺電極としての第４陽極６１ｄである。
【００３３】
陽極６１（６１ａ〜６１ｄ）は、発光領域３１ごとに形成されている。また、陽極６１の下層にある第２層間絶縁膜５２中には、例えば、アルミニウムなどからなる反射膜６５が形成されている。陽極６１は、透明のＩＴＯ（Indium Tin Oxide）膜からなり、発光層６２ｃが発光した光を下方の反射膜６５に反射させて上方に出射させることが可能となっている。
【００３４】
また、陽極６１は、例えば、平面的に見て上記した各発光素子２１〜２４の形状と略同じに形成されている。なお、回路素子層３３には、図示しない保持容量及びスイッチング用のトランジスターが形成されている。また、回路素子層３３には、各陽極６１に接続された駆動用のトランジスターが形成されている。
【００３５】
機能層６２は、例えば、正孔注入層６２ａと、中間層６２ｂと、発光層６２ｃなどから構成されている。機能層６２上及び隔壁６３上には、陰極６４が配置されている。陽極６１と、機能層６２と、陰極６４とによって発光素子２１〜２４が構成されている。
【００３６】
なお、各発光領域３１毎に陽極６１を分離して配置しているが、陽極６１を分離せずに全面に形成し、陰極６４を各発光領域３１毎に分離して配置するようにしてもよい。つまり、どちらかの電極（６１，６４）が各発光領域３１に対応し分離して配置されていればよい。
【００３７】
回路素子層３３と隔壁６３との間には、絶縁層６６が形成されている。絶縁層６６は、例えば、シリコン酸化膜（ＳｉＯ2）である。絶縁層６６は、隣り合う陽極６１間の絶縁性を確保すると共に、発光領域３１の形状を所望の形状にするために、陽極６１の周縁部上に乗り上げるように形成されている。つまり、陽極６１と絶縁層６６とは、平面的に一部が重なるように配置された構造となっている。更に言い換えれば、絶縁層６６は、発光領域３１を除いた領域に形成されていることになる。
【００３８】
隔壁６３は、各発光領域３１を囲むように形成されている。言い換えれば、隔壁６３によって囲まれた領域が発光領域３１となる。隔壁６３の材質としては、例えば、アクリル樹脂などの有機材料が挙げられる。
【００３９】
機能層６２は、上記したように、正孔注入層６２ａと中間層６２ｂと発光層６２ｃとを有して構成されており、隔壁６３によって囲まれた領域、すなわち発光領域３１に、液滴吐出法、例えばインクジェット法を用いて順に形成されている。
【００４０】
陰極６４は、機能層６２及び隔壁６３を含む基板上の全体を覆うように成膜（ベタ成膜）されている。具体的には、陰極６４は、例えば、カルシウム（Ｃａ）及びアルミニウム（Ａｌ）の積層体である。陰極６４の上には、水や酸素の侵入を防ぐための、樹脂などからなる封止部材（図示せず）が積層されている。なお、陽極６１、発光素子層３４及び陰極６４によって発光素子２１〜２４が構成される。
【００４１】
上述した発光層６２ｃは、エレクトロルミネッセンス現象を発現する有機発光物質の層である。陽極６１と陰極６４との間に電圧を印加することによって、発光層６２ｃには、正孔注入層６２ａから正孔が、また、陰極６４から電子が注入される。発光層６２ｃにおいて、これらが結合したときに光を発する。
【００４２】
＜電子機器＞
図４は、発光装置が組み込まれた光書き込みヘッドモジュールを示す斜視図である。以下、発光装置を備えた光書き込みヘッドモジュールの構成を、図４を参照しながら説明する。
【００４３】
図４に示すように、光書き込みヘッドモジュール２０１Ｋは、円柱状の感光体ドラム１７１Ｋと平行に、これと対向した状態で用いられる。光書き込みヘッドモジュール２０１Ｋは、感光体ドラム１７１Ｋと平行な方向に配設された箱体１７７と、箱体１７７と感光体ドラム１７１Ｋとの間に位置するように箱体１７７に取り付けられた光学部材１７８とを備えている。箱体１７７は、感光体ドラム１７１Ｋ側に開口部を有しており、その開口部に向かって光が出射されるように発光装置１１が固定されている。光学部材１７８は、内部にセルフォック（登録商標）レンズアレイを備えており、発光装置１１の発光部１２から出射され、一端に入射した光を、他端側から出射して感光体ドラム１７１Ｋの表面で集光、照射（描画）する。
【００４４】
図５は、上記した発光装置を有する光書き込みヘッドモジュールを備えた電子機器の一例として画像形成装置（プリンター）を示す模式断面図である。以下、発光装置を有する光書き込みヘッドモジュールを備えた画像形成装置の構造を、図５を参照しながら説明する。
【００４５】
図５に示すように、画像形成装置１８０は、発光装置１１が組み込まれた光書き込みヘッドモジュール２０１Ｋ，２０１Ｃ，２０１Ｍ，２０１Ｙを備えており、これらに対応して４個の感光体ドラム（像担持体）１７１Ｋ，１７１Ｃ，１７１Ｍ，１７１Ｙが配置されたタンデム方式として構成されたものである。
【００４６】
この画像形成装置１８０は、駆動ローラー１９１と従動ローラー１９２とテンションローラー１９３とを備え、これら各ローラーに中間転写ベルト１９０を、図５中矢印方向（反時計方向）に循環駆動するよう張架したものである。この中間転写ベルト１９０に対して、感光体ドラム１７１Ｋ，１７１Ｃ，１７１Ｍ，１７１Ｙが所定間隔で配置されている。これら感光体ドラム１７１Ｋ，１７１Ｃ，１７１Ｍ，１７１Ｙは、その外周面が像担持体としての感光層となっている。
【００４７】
ここで、上記符号中のＫ、Ｃ、Ｍ、Ｙは、それぞれ黒、シアン、マゼンタ、イエローを意味し、それぞれ黒、シアン、マゼンタ、イエロー用の感光体であることを示している。なお、これら符号（Ｋ、Ｃ、Ｍ、Ｙ）の意味は、他の部材についても同様である。感光体ドラム１７１Ｋ，１７１Ｃ，１７１Ｍ，１７１Ｙは、中間転写ベルト１９０の駆動と同期して、図５中矢印方向（時計方向）に回転駆動するようになっている。
【００４８】
各感光体ドラム１７１（Ｋ、Ｃ、Ｍ、Ｙ）の周囲には、それぞれ感光体ドラム１７１（Ｋ、Ｃ、Ｍ、Ｙ）の外周面を一様に帯電させる帯電手段（コロナ帯電器）１７２（Ｋ、Ｃ、Ｍ、Ｙ）と、この帯電手段１７２（Ｋ、Ｃ、Ｍ、Ｙ）によって一様に帯電させられた外周面を感光体ドラム１７１（Ｋ、Ｃ、Ｍ、Ｙ）の回転に同期して順次ライン走査する光書き込みヘッドモジュール２０１（Ｋ、Ｃ、Ｍ、Ｙ）とが設けられている。
【００４９】
また、光書き込みヘッドモジュール２０１（Ｋ、Ｃ、Ｍ、Ｙ）で形成された静電潜像に現像剤であるトナーを付与して可視像（トナー像）とする現像装置１７４（Ｋ、Ｃ、Ｍ、Ｙ）と、現像装置１７４（Ｋ、Ｃ、Ｍ、Ｙ）で現像されたトナー像を一次転写対象である中間転写ベルト１９０に順次転写する転写手段としての一次転写ローラー１７５（Ｋ、Ｃ、Ｍ、Ｙ）とが設けられている。また、転写された後に感光体ドラム１７１（Ｋ、Ｃ、Ｍ、Ｙ）の表面に残留しているトナーを除去するクリーニング手段としてのクリーニング装置１７６（Ｋ、Ｃ、Ｍ、Ｙ）が設けられている。
【００５０】
各光書き込みヘッドモジュール２０１（Ｋ、Ｃ、Ｍ、Ｙ）は、各発光装置１１のアレイ方向（発光部１２の整列方向）が感光体ドラム１７１（Ｋ、Ｃ、Ｍ、Ｙ）の回転軸に平行となるように設置されている。そして、各光書き込みヘッドモジュール２０１（Ｋ、Ｃ、Ｍ、Ｙ）の主発光波長と、感光体ドラム１７１（Ｋ、Ｃ、Ｍ、Ｙ）の感度ピーク波長とが略一致するように設定されている。
【００５１】
現像装置１７４（Ｋ、Ｃ、Ｍ、Ｙ）は、例えば、現像剤として非磁性一成分トナーを用いる。そして、その一成分現像剤を例えば供給ローラーで現像ローラーへ搬送し、現像ローラー表面に付着した現像剤の膜厚を規制ブレードで規制し、その現像ローラーを感光体ドラム１７１（Ｋ、Ｃ、Ｍ、Ｙ）に接触させあるいは押圧せしめることにより、感光体ドラム１７１（Ｋ、Ｃ、Ｍ、Ｙ）の電位レベルに応じて現像剤を付着させ、トナー像として現像するものである。
【００５２】
このような４色の単色トナー像形成ステーションにより形成された黒、シアン、マゼンタ、イエローの各トナー像は、一次転写ローラー１７５（Ｋ、Ｃ、Ｍ、Ｙ）に印加される一次転写バイアスによって中間転写ベルト１９０上に順次一次転写される。そして、中間転写ベルト１９０上で順次重ね合わされてフルカラーとなったトナー像は、二次転写ローラー１６６において用紙等の記録媒体Ｐに二次転写され、更に、定着部である定着ローラー対１６１を通ることで記録媒体Ｐ上に定着される。その後、排紙ローラー対１６２によって装置上部に形成された排紙トレイ１６８上に排出される。
【００５３】
なお、図５中の符号１６３は多数枚の記録媒体Ｐが積層保持されている給紙カセット、１６４は給紙カセット１６３から記録媒体Ｐを一枚ずつ給送するピックアップローラー、１６５は二次転写ローラー１６６の二次転写部への記録媒体Ｐの供給タイミングを規定するゲートローラー対、１６６は中間転写ベルト１９０との間で二次転写部を形成する二次転写手段としての二次転写ローラー、１６７は二次転写後に中間転写ベルト１９０の表面に残留しているトナーを除去するクリーニング手段としてのクリーニングブレードである。
【００５４】
この画像形成装置１８０は、上記した発光装置１１を有する光書き込みヘッドモジュール２０１（Ｋ、Ｃ、Ｍ、Ｙ）が露光手段として備えられている。このため、画像形成装置１８０は、感光体ドラム１７１Ｋに対して均一な光を出射することが可能となり、高品位な画像を形成することができる。
【００５５】
図６は、発光部の発光状態を示す模式平面図である。図７は、図４及び図５に示す感光体ドラムに照射した光の状態を示す模式図である。以下、発光部（発光領域）の大きさと照射した光の大きさとの関係について、図６及び図７を参照しながら説明する。
【００５６】
まず、図７に示すように、光書き込みヘッドモジュール２０１Ｋから感光体ドラム１７１Ｋに発光部１２（１２ａ〜１２ｃなど）の光を照射する。このとき、光書き込みヘッドモジュール２０１Ｋが反っていたり、感光体ドラム１７１Ｋの表面が凹凸になっていたりする場合がある。これにより、光７１の大きさ（スポット径）にばらつきが生じる。
【００５７】
照射された各光７１の大きさを、統一した大きさの光７１に揃えるために、まず、スポット径のばらつき状態を確認し、統一するスポット径を決定する。そして、同じスポット径にするために、例えば、図６（ａ）〜（ｃ）に示すような発光部１２ａ〜１２ｃの設定にする。
【００５８】
図６（ａ）に示す第１発光部１２ａは、例えば、第１発光素子２１のみを発光させることで、統一した大きさの光７１に照射される。図６（ｂ）に示す第２発光部１２ｂは、例えば、第１発光素子２１及び第２発光素子２２を発光させることで、統一した大きさの光７１に照射される。図６（ｃ）に示す第３発光部１２ｃは、例えば、第１発光素子２１、第２発光素子２２、第３発光素子２３、第４発光素子２４の全てを発光させることで、統一した大きさの光７１に照射される。なお、他の発光部１２も同様に調整する。
【００５９】
このように、光書き込みヘッドモジュール２０１Ｋが反っていたり、感光体ドラム１７１Ｋの表面が凹凸状になっていたりする場合でも、感光体ドラム１７１Ｋ上に照射された光７１の大きさ（スポット径）を揃えることができる。また、第１発光素子２１の同心円上にその他の発光素子２２〜２４が配置されているので、選択的に発光素子２１〜２４を発光させた場合でも、発光部１２の位置や形状が変わることなく、発光部１２の大きさを調整することができる。
【００６０】
なお、予め感光体ドラム１７１Ｋの表面の凹凸状態を、感光体ドラム１７１Ｋの一周に亘って読み取っておき、それに合わせて発光部１２（各発光素子２１〜２４）を選択的に発光させることが好ましい。
【００６１】
以上詳述したように、本実施形態の発光装置１１、及び電子機器によれば、以下に示す効果が得られる。
【００６２】
（１）本実施形態の発光装置１１によれば、平面的に同心を基準として第１発光素子２１〜第４発光素子２４が対称に配置されることによって発光部１２が構成されているので、各陽極６１に対し選択的に電流を流すことによって、発光部１２の大きさを変えることができる。更に、複数の陽極６１が対称に配置されているので、発光部１２の発光形状が相似形状となる。これにより、例えば、発光装置１１から感光体ドラム１７１に対して照射した複数の光７１の大きさのばらつきを抑えることができる。更に、発光部１２の位置（例えば、重心位置）を移動させることなく、発光部１２の大きさのみを変えることができる。その結果、基板３２（発光装置１１）が反っていたり、感光体ドラム１７１の表面が凸凹していたりする場合でも、複数の光７１の大きさや形状を揃えることが可能となり、表示品質を向上させることができる。
【００６３】
（２）本実施形態の発光装置１１によれば、中心に配置された第１発光素子２１（第１陽極６１ａ）と、第１発光素子２１の周囲に配置された複数の発光素子２２〜２４（陽極６１ｂ〜６１ｄ）とによって発光部１２が構成されているので、陽極６１ａ〜６１ｄを選択的に発光させることにより、発光する位置をずらすことなく、小さく発光させたり大きく発光させたりすることができる。
【００６４】
（３）本実施形態の電子機器によれば、上記した発光装置１１を備えているので、高品位な表示が得られる電子機器を提供することができる。
【００６５】
なお、実施形態は上記に限定されず、以下のような形態で実施することもできる。
【００６６】
（変形例１）
上記したように、陽極６１の形状は、全体的に略丸形状であることに限定されず、例えば、略楕円形状や略多角形状であってもよい。これによれば、要望される光７１の形状に応じて最適な形状に発光部１２を発光させることができる。また、第１発光素子２１〜第４発光素子２４によって発光部１２を構成することに限定されず、更に複数の発光素子を加えて発光部を構成するようにしてもよい。
【００６７】
（変形例２）
上記したように、各発光素子２１〜２４を選択的に発光させることに限定されず、例えば、電流制御部を備え、各発光素子２１〜２４（発光層６２ｃ）に流す電流量を変えるようにしてもよい。具体的には、各陽極６１に流す電流量を調整することにより、各発光層６２ｃの発光量（発光強度）を部分的に変えることができる。これにより、発光むらを抑えることが可能となり、例えば、ディスプレイなどの表示品質を向上させることができる。
【００６８】
（変形例３）
上記したように、発光部１２は、千鳥状（図１参照）に配列されていることに限定されず、例えば、直線状、複数列状、マトリクス状に配列されていてもよい。
【００６９】
（変形例４）
上記したように、発光装置１１は、画像形成装置１８０（プリンター）に適用されることに限定されず、例えば、携帯電話機、モバイルコンピューター、デジタルカメラ、デジタルビデオカメラ、テレビ、ディスプレイ、車載機器、オーディオ機器、照明機器などの各種電子機器に用いることができる。
【符号の説明】
【００７０】
１１…発光装置、１２…発光部、１２ａ…第１発光部、１２ｂ…第２発光部、１２ｃ…第３発光部、１３…発光領域、２１…第１発光素子、２２…第２発光素子、２３…第３発光素子、２４…第４発光素子、２５ａ〜２５ｄ…引き出し配線、３１…発光領域、３２…基板、３３…回路素子層、３４…発光素子層、３５…下地保護膜、３６…ＴＦＴ素子、４１…半導体膜、４２…ソース領域、４３…ドレイン領域、４４…チャネル領域、４５…ゲート絶縁膜、４６…ゲート電極、５１…第１層間絶縁膜、５２…第２層間絶縁膜、５３…コンタクトホール、５４…信号線、５５…コンタクトホール、６１…第１電極としての陽極（画素電極）、６１ａ…中心電極としての第１陽極、６１ｂ…周辺電極としての第２陽極、６１ｃ…周辺電極としての第３陽極、６１ｄ…周辺電極としての第４陽極、６２…機能層、６２ａ…正孔注入層、６２ｂ…中間層、６２ｃ…発光層、６３…隔壁、６４…第２電極としての陰極（共通電極）、６５…反射膜、６６…絶縁層、７１…光、１６１…定着ローラー、１６２…排紙ローラー対、１６３…給紙カセット、１６４…ピックアップローラー、１６５…ゲートローラー対、１６６…二次転写ローラー、１６７…クリーニングブレード、１６８…排紙トレイ、１７１Ｋ，１７１Ｃ，１７１Ｍ，１７１Ｙ…感光体ドラム、１７２Ｋ，１７２Ｃ，１７２Ｍ，１７２Ｙ…帯電手段、１７４Ｋ，１７４Ｃ，１７４Ｍ，１７４Ｙ…現像装置、１７５Ｋ，１７５Ｃ，１７５Ｍ，１７５Ｙ…一次転写ローラー、１７６Ｋ，１７６Ｃ，１７６Ｍ，１７６Ｙ…クリーニング装置、１７７…箱体、１７８…光学部材、１８０…画像形成装置、１９０…中間転写ベルト、１９１…駆動ローラー、１９２…従動ローラー、１９３…テンションローラー、２０１Ｋ，２０１Ｃ，２０１Ｍ，２０１Ｙ…光書き込みヘッドモジュール。
【図１】
2012089355.tif 000003
【図２】
2012089355.tif 000004
【図３】
2012089355.tif 000005
【図４】
2012089355.tif 000006
【図５】
2012089355.tif 000007
【図６】
2012089355.tif 000008
【図７】
2012089355.tif 000009